(57)【要約】【課題】  軒先ラインに直交する登り梁と、軒先ラインに対して平面視４５度に配置される隅木梁（または谷木梁）とが、それらの梁天の軒側延長線を外周梁の梁天以下の高さに設定された勾配基準点を通るように架設される勾配屋根において、外壁のセットバック箇所に配置されるセットバック梁と隅木梁とが干渉するのを回避し得る勾配屋根の屋根架構を提供する。【解決手段】  外周梁に対するセットバック梁のセットバック寸法が第１所定寸法未満の部位では、隅木梁の軒先側の端部がセットバック梁に接合されて、セットバック梁と外周梁との間には隅木梁が省かれる。前記セットバック寸法が第１所定寸法以上、第２所定寸法以下の部位については、隅木梁２３の軒先近傍部分がセットバック梁３３を挟んで分割された状態で、外周梁３０および該セットバック梁３３にそれぞれ接合される。【選択図】  図７
2019085788.tif 000002
【特許請求の範囲】
【請求項１】
軒先ラインに直交する登り梁と、前記軒先ラインに対して平面視４５度に配置される隅木梁または谷木梁とが、それらの梁天の軒側延長線を、建物の外壁に沿って配置される外周梁の梁天以下の高さに設定された勾配基準点を通るように架設される勾配屋根において、
前記外壁の一部がセットバックして、その箇所にセットバック梁が前記外周梁と同じ高さに架設される場合の屋根架構であって、
基準となる軒先ラインに沿って配置される外周梁に対する前記セットバック梁のセットバック寸法が第１所定寸法未満の部位については、前記隅木梁または谷木梁の軒先側の端部が前記セットバック梁に接合されて、該セットバック梁と前記外周梁との間には隅木梁または谷木梁が架設されないことを特徴とする勾配屋根の屋根架構。
【請求項２】
軒先ラインに直交する登り梁と、前記軒先ラインに対して平面視４５度に配置される隅木梁または谷木梁とが、それらの梁天の軒側延長線を、建物の外壁に沿って配置される外周梁の梁天以下の高さに設定された勾配基準点を通るように架設される勾配屋根において、
前記外壁の一部がセットバックして、その箇所にセットバック梁が前記外周梁と同じ高さに架設される場合の屋根架構であって、
基準となる軒先ラインに沿って配置される外周梁に対する前記セットバック梁のセットバック寸法が第１所定寸法以上、第２所定寸法以下の部位については、前記隅木梁または谷木梁の軒先近傍部分が、前記セットバック梁を挟んで分割された状態で、前記外周梁および該セットバック梁にそれぞれ接合されたことを特徴とする勾配屋根の屋根架構。
【発明の詳細な説明】
【技術分野】
【０００１】
本発明は、勾配屋根を有する鉄骨造建物の屋根架構に関する。
【背景技術】
【０００２】
本出願人は、勾配屋根を有する鉄骨造建物の屋根架構に関して、棟および軒の高さを少しでも低く抑えるため、図１〜３に示すような納まりを開発して実用化している。図１は、１／１０程度の緩い勾配を有する寄棟屋根１の屋根伏図であり、図２は、図１の寄棟屋根１の屋根葺き材および屋根下地材を除外して屋根架構の概要を表した伏図である。また、図３は、図１および図２の寄棟屋根１の軒先ラインに直交する方向（Ａ−Ａ部）の縦断面図である。
【０００３】
この屋根架構は、野地板９１を支持する登り梁２０（勾配梁）を、その軒側の端部が、建物外周の最上部に沿って配置される外周梁３０よりも棟側に後退した位置から立ち上がるように接合して、登り梁２０の梁天の軒側延長線が、外周梁３０の梁心における梁天よりも下方に設定した勾配基準点Ｓを通るようにしたものである。登り梁２０には、例えば２本のリップ溝形鋼をウェブ合わせに接合した組部材が用いられている。その登り梁２０の軒側の端部は、外周梁３０に直交接続される小屋梁３１の上フランジに取り付けた登り梁取付金具４０の直立片４０１にボルト・ナット綴着される。こうして、梁天の高さが極力低くなるように配置した登り梁２０の上に、例えば側面視Ｌ字形に形成した母屋受け金具５０を介して、軽量鉄骨製の母屋６０が適宜間隔で水平方向に架け渡される。さらに、それら母屋６０の上に野地板９１および防水層９２からなる屋根下地面が設けられ、その上に屋根葺き材９３が葺設される。これに類する屋根架構は、例えば特許文献１の図２、特許文献２の図９、図１１、特許文献３の図３等にも開示されている。
【０００４】
このような屋根架構においては、軒先ラインに対して平面視４５度に配置される隅木梁２１の軒側の端部が、建物外周の出隅部分に沿って直交配置される２本の外周梁３０、３０の接続箇所の内側に接合される。図４は、その出隅部分（Ｂ−Ｂ部）を隅木梁２１の側面方向から見た納まり図である。この隅木梁２１も、登り梁２０と同様に、例えば２本のリップ溝形鋼をウェブ合わせに接合した組部材によって形成され、その梁天の軒側延長線と外周梁３０の梁心との交点が、図３に示した勾配基準点Ｓと同じ高さになるように配置される。隅木梁２１の軒側の端部は、外周梁３０の梁天よりもやや下方に潜り込むようにして、２本の外周梁３０、３０の接続箇所の上フランジに取り付けた隅木梁取付金具４１の直立片４１１にボルト・ナット綴着される。隅木梁２１の天面には、母屋６０を直交状態で支持する母屋受け金具５１が取り付けられる。
【先行技術文献】
【特許文献】
【０００５】
【特許文献１】特開平８−１３５０７４号公報
【特許文献２】特開平１１−２９３８３７号公報
【発明の概要】
【発明が解決しようとする課題】
【０００６】
図１〜図４に示したような屋根架構を有する建物において、外壁７０の一部が基準となる軒先ラインよりもセットバックして設けられる場合は、セットバックした外壁７２、７３の上部を固定するために、そのセットバック箇所にも外周梁３０と同様の断面を有する小屋梁３２、３３が、外周梁３０と高さを揃えて架設される。本明細書では、外壁のセットバック箇所に追加的に架設されるこれらの小屋梁を「セットバック梁」と称する。
【０００７】
図２には、右下部分の外壁７２が寸法ＳＢ１だけ大棟１０側にセットバックし、左下部分の外壁７３が寸法ＳＢ２だけ大棟１０側にセットバックして、それぞれの箇所にセットバック梁３２、３３が配置された形態を示している。ただし、この場合も、勾配屋根面全体の軒先ラインは、建物の最外周に沿う上面視矩形の寄棟形態を保持している。そして、このように一部の外壁７２、７３がセットバックすると、その箇所に架設されるセットバック梁３２、３３と、屋根面の出隅部分に架設される隅木梁２２、２３の軒先近傍部分とが、高さ方向において干渉することになる（図中の丸囲み部分）。
【０００８】
そこで本発明は、外壁のセットバック箇所に配置されるセットバック梁と隅木梁との干渉を回避し得るように、それらの部材の納まりを改良した屋根架構を提供するものである。
【課題を解決するための手段】
【０００９】
本発明の勾配屋根の屋根架構は、軒先ラインに直交する登り梁と、前記軒先ラインに対して平面視４５度に配置される隅木梁または谷木梁とが、それらの梁天の軒側延長線を、建物の外壁に沿って配置される外周梁の梁天以下の高さに設定された勾配基準点を通るように架設される勾配屋根において、前記外壁の一部がセットバックして、その箇所にセットバック梁が前記外周梁と同じ高さに架設される場合の屋根架構であることを前提としている。
【００１０】
そして、基準となる軒先ラインに沿って配置される外周梁に対する前記セットバック梁のセットバック寸法が第１所定寸法未満の部位については、前記隅木梁または谷木梁の軒先側の端部が前記セットバック梁に接合されて、該セットバック梁と前記外周梁との間には隅木梁または谷木梁が架設されない、との構成を採用する。
【００１１】
また、基準となる軒先ラインに沿って配置される外周梁に対する前記セットバック梁のセットバック寸法が第１所定寸法以上、第２所定寸法以下の部位については、前記隅木梁または谷木梁の軒先近傍部分が、前記セットバック梁を挟んで分割された状態で、前記外周梁および該セットバック梁にそれぞれ接合された、との構成を採用する。
【発明の効果】
【００１２】
前述のように構成される本発明の勾配屋根の屋根架構によれば、外壁のセットバック箇所におけるセットバック梁と隅木梁または谷木梁との干渉を回避して、隅木梁または谷木梁をギリギリまで低い位置に架設することができる。それにより、特に緩い勾配の屋根を、その棟および軒の高さを抑えて架設することが可能になる。
【図面の簡単な説明】
【００１３】
【図１】緩い勾配を有する寄棟屋根の屋根伏図である。
【図２】前記寄棟屋根の屋根葺き材および屋根下地材を除外して屋根架構の概要を表した伏図である。
【図３】前記寄棟屋根の軒先ラインに直交する方向（Ａ−Ａ部）の縦断面図である。
【図４】前記寄棟屋根の出隅部分（Ｂ−Ｂ部）に配置される隅木梁を、その側面方向から見た納まり図である。
【図５】本発明の実施の形態に係る屋根架構の概要を表した伏図である。
【図６】図６の屋根架構において、外壁のセットバック箇所（Ｃ−Ｃ部）に配置される隅木梁を、その側面方向から見た納まり図である。
【図７】図６の屋根架構において、外壁のセットバック箇所（Ｄ−Ｄ部）に配置される隅木梁を、その側面方向から見た納まり図である。
【図８】図６の屋根架構において、外壁のセットバック箇所（Ｅ部）に配置される隅木梁その他の部材の納まりを示す部分上面図である。
【発明を実施するための形態】
【００１４】
以下、本発明の実施の形態について、図面を参照しつつ説明する。なお、以下に説明する実施の形態において、図１〜図４に示した屋根架構の構成要素と実質的に同一の構成要素には共通の符号を付して、それらの詳細な説明は省略する。
【００１５】
図５〜図８は、本発明に係る勾配屋根の屋根架構の実施の形態を示している。図５に示した屋根架構と、図２に示した従来の屋根架構との相違点は、外壁のセットバック箇所における隅木梁２１とセットバック梁との取り合いにある。
【００１６】
図５中、右下のセットバック箇所（Ｃ−Ｃ部）においては、基準となる軒先ラインに沿って配置される外周梁３０から大棟１０側へ０．５Ｎセットバックした位置に、セットバック梁３２が配置されている。このセットバック梁３２は、外周梁３０と同一の断面寸法を有するＨ形鋼で、外周梁３０と同じ高さに架設されている。
【００１７】
ここで、「Ｎ」とは、建物の平面形態を設計する上での基準となる単位寸法（平面設計モジュール）であり、例えば１Ｎ＝１,０００ｍｍに設定される。図中には、基準となる軒先ラインに沿って配置される外周梁３０の通り心を「０Ｎ」として、そこから０．５Ｎまたは１Ｎ離れた通り心をそれぞれ表示している。
【００１８】
そして、図５中、右下の出隅部分に配置される隅木梁２２は、このセットバック梁３２と大棟１０との間に架設される。このとき、隅木梁２２の軒先側の端部は、図６に示すように、セットバック梁３２の上フランジに取り付けた隅木梁取付金具４２を介して、セットバック梁３２に接合される。外周梁３０に対するセットバック梁３２のセットバック寸法が、目安として０．７５Ｎ未満の場合、セットバック梁３２と前記外周梁３０との間は隅木梁２２が省かれる。本発明では、このセットバック寸法を「第１所定寸法」と定める。母屋６０を支持する母屋受け金具５１は隅木梁２２の上面に取り付けられるが、隅木梁２２が架設されない軒先近傍は、セットバック梁３２の上面に直接、母屋受け金具５２が取り付けられる。
【００１９】
図５中、左下のセットバック箇所（Ｄ−Ｄ部）においては、基準となる軒先ラインに沿って配置される外周梁３０から大棟１０側へ１Ｎセットバックした位置に、セットバック梁３３が配置されている。このセットバック梁３３も、外周梁３０と同一の断面寸法を有するＨ形鋼で、外周梁３０と同じ高さに架設されている。
【００２０】
そして、図５中、左下の出隅部分に配置される隅木梁２３は、その軒先近傍部分がセットバック梁３３を挟んで分割された状態で、外周梁３０およびセットバック梁３３にそれぞれ接合される。すなわち、図７に示すように、分割された隅木梁２３の軒側部分２３１は、その軒先側の端部が、外周梁３０、３０の上フランジに取り付けた隅木梁取付金具４１を介して外周梁３０に接合され、棟側の端部が、セットバック梁３３の上フランジに取り付けた隅木梁取付金具４３を介して、セットバック梁３３に接合される。また、分割された隅木梁２３の棟側部分２３２は、セットバック梁３３と大棟１０との間に架設されて、その軒先側の端部が、図６に示した納まりと同様に、セットバック梁３３の上フランジに取り付けた隅木梁取付金具４４を介して、セットバック梁３３に接合される。
【００２１】
外周梁３０に対するセットバック梁３３のセットバック寸法が、目安として０．７５Ｎ以上の場合、このようにセットバック梁３３を挟んで隅木梁２３を分割する納まりを採用することで、セットバック梁３３と隅木梁２３との干渉が回避される。外周梁３０に対するセットバック梁３３のセットバック寸法がさらに大きくなり、目安として１．２Ｎ程度になれば、セットバック梁３３と隅木梁２３とが干渉しなくなるので、図４に示したように、隅木梁２３を出隅部分の軒先から棟まで分割せずに架設することが可能になる。本発明では、セットバック梁３３が隅木梁２３に干渉しなくなるセットバック寸法を「第２所定寸法」と定める。
【００２２】
隅木梁２１、２２、２３（２３１、２３２）を外周梁３０またはセットバック梁３２、３３に接合する隅木梁取付金具４１、４２、４３、４４は、例えば図７、８中に示した隅木梁取付金具４１で代表するように、上面視略五角形の基板４１２と、基板４１２に直交するように結合された直立片４１１とを有する。基板４１２は、外周梁３０またはセットバック梁３３の上フランジに重ねられて該上フランジにボルト・ナット綴着される。直立片４１１は、隅木梁２１、２２、２３を構成する２本のリップ溝形鋼の間に挟み込まれて、隅木梁２１、２２、２３にボルト・ナット綴着される。直立片４１１の形状・寸法と、直立片に形成するボルト挿通孔の位置は、隅木梁２１、２２、２３の接合位置に合わせて設計される。
【００２３】
外壁のセットバック箇所におけるセットバック梁と隅木梁との取り合いを前述のように構成することで、セットバック梁と隅木梁との干渉を回避しつつ、隅木梁をギリギリまで低い位置に架設することができる。このような納まりは、図示は省くが、屋根の谷部に配置される谷木梁とセットバック梁との取い合い部分にも同様にして適用することができる。
【００２４】
なお、本発明の実施に際し、外周梁、登り梁、隅木梁等の部材形状および断面寸法、それら梁材の平面的な配置形態等については、適宜、選択・改変可能である。ただし、本発明による実用的な効果を得るためには、屋根勾配をおおむね３寸以下として、登り梁および隅木梁の梁天の軒側延長線と、外周梁の梁心との交点によって定まる勾配基準点Ｓの位置を、目安として外周梁の梁天以下の高さに設定するのが好ましい。
【符号の説明】
【００２５】
１  寄棟屋根
２０  登り梁
２１  隅木梁
２２  隅木梁
２３  隅木梁
３０  外周梁
３１  小屋梁
３２  セットバック梁
３３  セットバック梁
４０  登り梁取付金具
４１  隅木梁取付金具
４２  隅木梁取付金具
４３  隅木梁取付金具
４４  隅木梁取付金具
５０  母屋受け金具
５１  母屋受け金具
６０  母屋
７０  外壁
７２  セットバックした外壁
７３  セットバックした外壁
【図１】
2019085788.tif 000003
【図２】
2019085788.tif 000004
【図３】
2019085788.tif 000005
【図４】
2019085788.tif 000006
【図５】
2019085788.tif 000007
【図６】
2019085788.tif 000008
【図７】
2019085788.tif 000009
【図８】
2019085788.tif 000010